(57)【要約】【課題】記録補償、再生信頼性に優れ、かつＰＲＭＬ処理に見合った自由度のあるディスク信号解析装置を提供することを目的にする。【解決する手段】本発明は、アナログ再生信号のデジタル値が入力され、理想等化データに適応的に等化させた適応等化データおよび等化誤差を出力する適応等化部と、適応等化データが入力され、ビタビアルゴリズムを用いて復号するビタビ復号部と、所定の抽出条件に基づいてビタビ復号部が復号したデータを検索し、この検索したデータに関連するデータの、等化誤差を抽出するデータ抽出部と、抽出された等化誤差が入力され、この等化誤差の統計値を演算して出力する統計演算部と、統計演算部が出力した統計値を表示する表示部と、を具備したものである。【選択図】                    図１
2007149237.tif 000002
【特許請求の範囲】
【請求項１】
アナログ再生信号をデジタル値に変換するＡＤ変換部と、
前記ＡＤ変換部で変換されたデジタル値が入力され、理想等化データに適応的に等化させた適応等化データ、および理想等化データと適応等化データの差である等化誤差を出力する適応等化部と、
前記適応等化データが入力され、ビタビアルゴリズムを用いて復号するビタビ復号部と、
所定の抽出条件に基づいて前記ビタビ復号部が復号したデータを検索し、この検索したデータに関連するデータの、前記等化誤差を抽出するデータ抽出部と、
前記抽出された等化誤差が入力され、この等化誤差の統計値を演算して出力する統計演算部と、
前記統計演算部が出力した統計値を表示する表示部と、
を具備したことを特徴とするディスク信号解析装置。
【請求項２】
前記データ抽出部は、検索した全データの等化誤差を抽出するようにしたことを特徴とする請求項１記載のディスク信号解析装置。
【請求項３】
前記データ抽出部は、検索した全データの等化誤差を抽出して、その平均値を出力するようにしたことを特徴とする請求項１記載のディスク信号解析装置。
【請求項４】
前記データ抽出部は、検索した全データに隣接するデータの等化誤差を抽出するようにしたことを特徴とする請求項１記載のディスク信号解析装置。
【請求項５】
前記データ抽出部は、検索した全データの等化誤差を抽出し、レベル毎に分類して出力するようにしたことを特徴とする請求項１記載のディスク信号解析装置。
【請求項６】
アナログ再生信号をデジタル値に変換するＡＤ変換部と、
前記ＡＤ変換部で変換されたデジタル値が入力され、理想等化データに適応的に等化させた適応等化データを出力する適応等化部と、
前記適応等化データが入力され、ビタビアルゴリズムを用いて復号すると共に、差メトリックを出力するビタビ復号部と、
所定の抽出条件に基づいて前記ビタビ復号部が復号したデータを検索し、この検索したデータに関連するデータの差メトリックを抽出するデータ抽出部と、
前記抽出された差メトリックが入力され、この差メトリックの統計値を演算して出力する統計演算部と、
前記統計演算部が出力した統計値を表示する表示部と、
を具備したことを特徴とするディスク信号解析装置。
【請求項７】
前記データ抽出部は、検索したデータ中の、抽出条件に定められた位置の差メトリックを抽出するようにしたことを特徴とする請求項６記載のディスク信号解析装置。
【請求項８】
前記データ抽出部は、検索したデータに隣接する位置の差メトリックを抽出するようにしたことを特徴とする請求項６記載のディスク信号解析装置。
【請求項９】
前記統計演算部が演算、出力する統計値は、平均値および標準偏差であることを特徴とする請求項１若しくは請求項８いずれかに記載のディスク信号解析装置。
【請求項１０】
前記表示部は、前記データ抽出部が抽出したデータの、符号長別ヒストグラムを作成して表示するようにしたことを特徴とする請求項１若しくは請求項９記載のディスク信号解析装置。
【請求項１１】
前記統計演算部は符号長別に統計値を演算し、前記表示部はこの統計値をリスト形式で表示するようにしたことを特徴とする請求項１若しくは請求項１０いずれかに記載のディスク信号解析装置。
【請求項１２】
アナログ再生信号をデジタル値に変換するＡＤ変換部と、
前記ＡＤ変換部で変換されたデジタル値を理想等化データに適応的に等化させた適応等化データを出力する適応等化部と、
前記適応等化データが入力され、ビタビアルゴリズムによって復号するビタビ復号部と、
前記ビタビ復号部によって復号されたデータが入力され、このデータに誤り訂正処理を施してオリジナルデータを復元する誤り訂正部と、
所定の抽出条件に基づいて前記ビタビ復号部が復号したデータを検索し、この検索したデータに関連するデータと、前記誤り訂正部が出力したオリジナルデータとを比較してエラー率を出力するエラー率算出部と、
前記エラー率算出部が算出したエラー率を表示する表示部と、
を具備したことを特徴とするディスク信号解析装置。
【請求項１３】
アナログ再生信号をデジタル値に変換するＡＤ変換部と、
前記ＡＤ変換部で変換されたデジタル値を理想等化データに適応的に等化させた適応等化データを出力する適応等化部と、
前記適応等化データが入力され、ビタビアルゴリズムによって復号するビタビ復号部と、
前記ビタビ復号部が復号したデータに対応するオリジナルデータを読み込む外部データ取り込み部と、
所定の抽出条件に基づいて前記ビタビ復号部が復号したデータを検索し、この検索したデータに関連するデータと前記外部データ取り込み部が読み込んだオリジナルデータとを比較してエラー率を出力するエラー率算出部と、
前記エラー率算出部が算出したエラー率を表示する表示部と、
を具備したことを特徴とするディスク信号解析装置。
【請求項１４】
前記エラー率算出部は、検索したデータの全データを用いてエラー率を算出するようにしたことを特徴とする請求項１２若しくは請求項１３記載のディスク信号解析装置。
【発明の詳細な説明】
【技術分野】
【０００１】
本発明は、光ディスクの信号を解析する装置に関し、特にＰＲＭＬ(Partial Response Maximum Likelihood )信号処理で復号が行われる次世代高密度光ディスクのライトストラテジ解析に用いて好適なディスク信号解析装置に関するものである。
【背景技術】
【０００２】
図１１に従来のディスク信号解析装置の構成を示す。なお、点線のブロックは物理メモリを表している。図１１において、光ディスクの再生信号は時間計測部１１に入力される。時間計測部１１は計数カウンタ、Ｔ／Ｖ変換回路、ＰＬＬ回路などを内蔵し、入力された再生信号を２値化してその符号長（パルス幅）を測定する。この符号長は符号長メモリ１２に格納される。抽出条件設定部１３は再生信号の一部を抽出する抽出条件を設定する。この設定は図示しないキースイッチからのキー入力によって行われる。設定された抽出条件は、抽出条件メモリ１４に格納される。
【０００３】
データ抽出部１５はソフトウエアなどで構成され、抽出条件メモリ１４に格納された抽出条件が入力される。データ抽出部１５は、符号長メモリ１２に格納されたデータを検索し、入力された抽出条件に合致したデータを抽出して、抽出データメモリ１６に格納する。
【０００４】
統計演算部１７はソフトウエアあるいはＤＳＰ(Digital Signal Processor)で構成され、抽出データメモリ１６に格納されたデータの統計値を演算して統計値メモリ１８ａに格納する。また、抽出データのヒストグラムを演算してヒストグラムメモリ１８ｂに格納する。表示部１９は、この統計値メモリ１８ａ、ヒストグラムメモリ１８ｂに格納されたデータをＣＲＴあるいは液晶ディスプレイに表示する。
【０００５】
次に、このディスク信号解析装置の動作を図１２フローチャートにより説明する。図１２において、工程（１２−１）で時間計測部１１により時間計測を行う。時間計測部１１は入力された再生信号を２値化して符号長（パルス幅）を測定し、測定結果を符号長メモリ１２に格納する。図１４（Ａ）は符号長メモリ１２の格納値の例であり、１１０．２５ｎｓｅｃ、１１１．５０ｎｓｅｃ・・・・・のデータが格納されている。
【０００６】
図１３は光ディスクのトラックと２値化信号の関係を示したものである。図１３（Ａ）は光ディスク表面に形成されたトラックであり、黒く塗りつぶした部分がトラックマークである。光ピックアップでこのトラックを読みとることにより、同図（Ｂ）の再生信号が得られる。時間計測部１１は、この再生信号を一定のスレッシュホールドレベルでスライスすることにより、（Ｃ）に示す２値化信号に変換し、この２値化信号の符号長を測定する。
【０００７】
時間計測が終了すると、工程（１２−２）で、例えば“３Ｔマーク直後スペース”の抽出条件を設定する。この抽出条件は、３Ｔマーク（符号パターン“１１１”）の直後のスペース（“０”）を解析するように指示するものである。ＤＶＤではＴ＝３７ｎｓｅｃなので、３Ｔマークの長さは約９２．５ｎｓｅｃ〜１２９．５ｎｓｅｃになる。
【０００８】
次に、工程（１２−３）で抽出条件に基づいて符号長メモリ１２を検索し、抽出条件に合致したデータを抽出して抽出データメモリ１６に格納する。図１４（Ｂ）は抽出データメモリ１６の格納値の例であり、３Ｔ直後のスペースのデータが格納される。この例では１１１．５０ｎｓｅｃ、１８５．８０ｎｓｅｃ・・・・・の値が順次格納されている。
【０００９】
次に、工程（１２−４）で統計演算処理を行う。すなわち、統計演算部１７は抽出データメモリ１６に格納されている抽出データを符号長別に分類し、符号長毎に平均値、標準偏差を算出し、統計値メモリ１８ａに格納する。また、抽出データのヒストグラムを演算し、ヒストグラムメモリ１８ｂに格納する。図１４（Ｃ）は統計値メモリ１８ａの格納値の例である。この例では、符号長毎に平均値と標準偏差が格納されている。図１４（Ｄ）はヒストグラムメモリ１８ｂの格納値をグラフ化したものである。３Ｔマーク直後から１４Ｔまでのスペースの符号長分布が格納されている。なお、縦点線は理想符号長を表している。
【００１０】
そして、工程（１２−５）で結果の表示を行う。表示部１９は統計値メモリ１８ａ、ヒストグラムメモリ１８ｂに格納されているデータを読み出し、図１４（Ｃ）のようなリスト形式や同図（Ｄ）のようなグラフ形式で表示する表示データを作成する。この表示データはＣＲＴや液晶ディスプレイに表示される。最後に、工程（１２−６）で解析処理を続行するかどうかを判定し、続行するときは工程（１２−２）に戻って、３Ｔマーク直前のスペース、１４Ｔマーク直後のスペース等の新たな抽出条件を設定し、続行しないときは終了する。
【００１１】
図１５に符号間干渉の例を示す。（Ａ）はマーク、（Ｂ）はこのマークによって生成した２値化信号である。記録マークの熱拡散によってマークの大きさが変化し、その結果２値化信号にエッジシフトが生じる。
【００１２】
図１４（Ｄ）のヒストグラムを用いて、光ディスク装置のライトストラテジを決定することができる。この図ではヒストグラムが各３Ｔ〜１４Ｔの理想符号長（縦点線）に対して右側にシフトしている。このため、２Ｔマークのレーザ照射時間を長くするか、エッジ際でのレーザパワーを強めるなどのライトストラテジを決定し、符号間干渉を低減させる。また、標準偏差の値によって別のライトストラテジを検討する。
【００１３】
光ディスクの信号を高精度で解析するためには、時間を高分解能で測定しなければならない。時間を高分解能で測定する技術、および時間測定回路を用いてジッタを測定する技術は特許文献１および特許文献２に記載されている。
【００１４】
符号間干渉を解析し、その結果を直感的に把握できるようにして表示し、効率的に解析を行うことができる符号間干渉解析装置は、特許文献３に記載されている。この解析装置を用いることにより、ライトストラテジを解析することができる。
【００１５】
回路規模が小さくて解析時間が早く、種々のＰＲＭＬシステムに適用が可能であり、かつエラーが大きい場合でもヒストグラム解析を適切に行うことができるディスク信号解析装置は、特許文献４に記載されている。
【００１６】
次世代光ディスクの信号評価について、ＰＲＭＬ復号系との相関が得られるＰＲＭＬアナライザは特許文献５に記載されている。
【特許文献１】特開平７−２７８８０号公報
【特許文献２】特開平１０−２８２１６５号公報
【特許文献３】特開２００１−１２６２６４号公報
【特許文献４】特開２００３−２０３４２９号公報
【特許文献５】特開２００５−１８２９６９号公報
【発明の開示】
【発明が解決しようとする課題】
【００１７】
しかし、このようなディスク信号解析装置には、次のような課題があった。次世代の高密度光ディスクでは、光学的な限界により高域における再生波形の信号振幅レベルが小さくなる。このことを図１６を用いて説明する。図１６（Ａ）は従来型光ディスクの再生信号のアイパターン、（Ｂ）は次世代高密度光ディスクの再生信号のアイパターンである。次世代高密度光ディスクの再生信号の振幅は、光学的な限界により、高域における再生波形の信号振幅レベルが小さくなる。そのため、２値化して復号する際のジッタが増大してしまうという課題があった。
【００１８】
このことを図１７を用いて説明する。図１７（Ａ）は次世代高密度光ディスクのトラック、（Ｂ）はその再生信号、（Ｃ）は適当なスレッシュホールドレベルで２値化した信号である。再生信号は図１３に比べて品質が悪く、かつ振幅も小さいので、２値化して復号する際にジッタが増大してしまう。そのため、図１１に示した従来の光ディスク解析装置でライトストラテジ解析を行うと、最適な記録制御を行うことができない。
【００１９】
そのため、次世代高密度光ディスクでは再生信頼性を向上させるためＰＲＭＬ復号を採用し、高密度化と信頼性向上の両立を図っている。しかし、２値化復号でないためライトストラテジ解析の方法が確立されておらず、記録型または１回記録型ディスクの信頼性を高めることができないという課題もあった。
【００２０】
従って本発明の目的は、ＰＲＭＬ復号が採用される次世代高密度光ディスクのライトストラテジ解析に用いることができ、記録補償、再生信頼性に優れ、かつＰＲＭＬ処理に見合った自由度のあるディスク信号解析装置を提供することにある。
【課題を解決するための手段】
【００２１】
このような課題を達成するために、本発明のうち請求項１記載の発明は、
アナログ再生信号をデジタル値に変換するＡＤ変換部と、
前記ＡＤ変換部で変換されたデジタル値が入力され、理想等化データに適応的に等化させた適応等化データ、および理想等化データと適応等化データの差である等化誤差を出力する適応等化部と、
前記適応等化データが入力され、ビタビアルゴリズムを用いて復号するビタビ復号部と、
所定の抽出条件に基づいて前記ビタビ復号部が復号したデータを検索し、この検索したデータに関連するデータの、前記等化誤差を抽出するデータ抽出部と、
前記抽出された等化誤差が入力され、この等化誤差の統計値を演算して出力する統計演算部と、
前記統計演算部が出力した統計値を表示する表示部と、
を具備したものである。信頼性および解析の自由度が高いディスク信号解析装置が得られる。
【００２２】
請求項２記載の発明は、請求項１記載の発明において、
前記データ抽出部は、検索した全データの等化誤差を抽出するようにしたものである。検索位置全体の等化誤差データが得られる。
【００２３】
請求項３記載の発明は、請求項１記載の発明において、
前記データ抽出部は、検索した全データの等化誤差を抽出して、その平均値を出力するようにしたものである。検索位置の平均的な等化誤差データが得られる。
【００２４】
請求項４記載の発明は、請求項１記載の発明において、
前記データ抽出部は、検索した全データに隣接するデータの等化誤差を抽出するようにしたものである。検索位置に隣接する場所の等化誤差データが得られる。
【００２５】
請求項５記載の発明は、請求項１記載の発明において、
前記データ抽出部は、検索した全データの等化誤差を抽出し、レベル毎に分類して出力するようにしたものである。検索位置全体の、レベル毎の等化誤差データが得られる。
【００２６】
請求項６記載の発明は、
アナログ再生信号をデジタル値に変換するＡＤ変換部と、
前記ＡＤ変換部で変換されたデジタル値が入力され、理想等化データに適応的に等化させた適応等化データを出力する適応等化部と、
前記適応等化データが入力され、ビタビアルゴリズムを用いて復号すると共に、差メトリックを出力するビタビ復号部と、
所定の抽出条件に基づいて前記ビタビ復号部が復号したデータを検索し、この検索したデータに関連するデータの差メトリックを抽出するデータ抽出部と、
前記抽出された差メトリックが入力され、この差メトリックの統計値を演算して出力する統計演算部と、
前記統計演算部が出力した統計値を表示する表示部と、
を具備したものである。信頼性および解析の自由度が高いディスク信号解析装置が得られる。
【００２７】
請求項７記載の発明は、請求項６記載の発明において、
前記データ抽出部は、検索したデータ中の、抽出条件に定められた位置の差メトリックを抽出するようにしたものである。検索データの任意位置の差メトリックデータが得られる。
【００２８】
請求項８記載の発明は、請求項６記載の発明において、
前記データ抽出部は、検索したデータに隣接する位置の差メトリックを抽出するようにしたものである。検索位置に隣接する位置の差メトリックデータが得られる。
【００２９】
請求項９記載の発明は、請求項１若しくは請求項８いずれかに記載の発明において、
前記統計演算部は、平均値および標準偏差を統計値として出力するようにしたものである。抽出位置のデータの様子を、即座に把握することができる。
【００３０】
請求項１０記載の発明は、請求項１若しくは請求項９記載の発明において、
前記表示部は、前記データ抽出部が抽出したデータの、符号長別ヒストグラムを作成して表示するようにしたものである。符号長別のデータの分布がわかる。
【００３１】
請求項１１記載の発明は、請求項１若しくは請求項１０いずれかに記載の発明において、
前記統計演算部は符号長別に統計値を演算し、前記表示部はこの統計値をリスト形式で表示するようにしたものである。符号長別のデータの分布がわかる。
【００３２】
請求項１２記載の発明は、
アナログ再生信号をデジタル値に変換するＡＤ変換部と、
前記ＡＤ変換部で変換されたデジタル値を理想等化データに適応的に等化させた適応等化データを出力する適応等化部と、
前記適応等化データが入力され、ビタビアルゴリズムによって復号するビタビ復号部と、
前記ビタビ復号部によって復号されたデータが入力され、このデータに誤り訂正処理を施してオリジナルデータを復元する誤り訂正部と、
所定の抽出条件に基づいて前記ビタビ復号部が復号したデータを検索し、この検索したデータに関連するデータと、前記誤り訂正部が出力したオリジナルデータとを比較してエラー率を出力するエラー率算出部と、
前記エラー率算出部が算出したエラー率を表示する表示部と、
を具備したものである。信頼性および解析の自由度が高いディスク信号解析装置が得られる。
【００３３】
請求項１３記載の発明は、
アナログ再生信号をデジタル値に変換するＡＤ変換部と、
前記ＡＤ変換部で変換されたデジタル値を理想等化データに適応的に等化させた適応等化データを出力する適応等化部と、
前記適応等化データが入力され、ビタビアルゴリズムによって復号するビタビ復号部と、
前記ビタビ復号部が復号したデータに対応するオリジナルデータを読み込む外部データ取り込み部と、
所定の抽出条件に基づいて前記ビタビ復号部が復号したデータを検索し、この検索したデータに関連するデータと前記外部データ取り込み部が読み込んだオリジナルデータとを比較してエラー率を出力するエラー率算出部と、
前記エラー率算出部が算出したエラー率を表示する表示部と、
を具備したものである。信頼性および解析の自由度が高いディスク信号解析装置が得られる。
【００３４】
請求項１４記載の発明は、請求項１２若しくは請求項１３記載の発明において、
前記エラー率算出部は、検索したデータの全データを用いてエラー率を算出するようにしたものである。検索位置全体のエラー率が得られる。
【発明の効果】
【００３５】
以上説明したことから明らかなように、本発明によれば次のような効果がある。
ディスク再生信号から適応等化データを求め、この適応等化データをビタビ復号によって復号し、この復号したデータを所定の抽出条件に基づいて検索して、検索位置に関連する位置の等化誤差、差メトリック、エラー率選択して抽出し、表示するようにした。また、等化誤差、差メトリックの統計値を演算表示し、また抽出したデータのヒストグラムを作成、表示するようにした。
【００３６】
等化誤差、差メトリック、エラー率を選択して解析パラメータとして扱えるので、信頼性が高く、かつ解析の自由度が高いディスク信号解析装置が得られるという効果がある。次世代高密度光ディスクの再生方式として採用されるＰＲＭＬ方式を用いた光ディスクドライブのライトストラテジ解析に用いて特に効果が大きい。
【発明を実施するための最良の形態】
【００３７】
以下本発明を図面を用いて詳細に説明する。図１は本発明に係るディスク解析装置の一実施例を示す構成図である。なお、図１１と同じ要素には同一符号を付し、説明を省略する。また、図１１と同じように、点線のブロックは物理メモリを表す。
【００３８】
図１において、２０はディスク信号解析装置であり、抽出条件設定部１３、抽出条件メモリ１４、ＡＤ変換部２１、適応等化部２２、ビタビ復号部２３、等化誤差メモリ２４、差メトリックメモリ２５、復号データメモリ２６、データ抽出部２７、抽出データメモリ２８、統計演算部２９、演算データメモリ３１および表示部３２で構成される。
【００３９】
ＡＤ変換部２１には光ディスクの再生信号が入力される。ＡＤ変換部２１はこの再生信号をデジタル値に変換する。適応等化部２２にはＡＤ変換部２１によって変換されたデジタル値が入力される。適応等化部２２はこのデジタル値に適応等化処理を施し、適応等化データを出力する。
【００４０】
ビタビ復号部２３には、適応等化部２２が出力する適応等化データが入力される。ビタビ復号部２３はこの適応等化データから、ビタビアルゴリズムで２値信号に復号して出力する。この復号された２値信号は適応等化部２２にフィードバックされる。
【００４１】
等化誤差メモリ２４には適応等化データの誤差が格納される。この誤差は適応等化部２２が適応処理を行う過程で算出される。差メトリックメモリ２５はビタビ復号部２３が復号過程で算出する差メトリック（ＳＡＭとも呼ばれる）を格納する。差メトリックは、次点パスメトリックと採択パスメトリックの差をビット毎に算出したものである。ビタビ復号および差メトリック（ＳＡＭ）については特許文献４に記載されているので、詳細を省略する。
【００４２】
復号データメモリ２６はビタビ復号部２３が出力する２値信号が格納される。抽出条件は抽出条件設定部１３によって設定され、抽出条件設定メモリ１４に格納される。
【００４３】
データ抽出部２７は、抽出条件メモリ１４に格納された抽出条件に合致するデータを復号データメモリ２６から検索し、等化誤差メモリ２４、差メトリックメモリ２５および復号データメモリ２６から該当するデータを抽出する。この抽出されたデータは抽出データメモリ２８に格納される。
【００４４】
統計演算部２９は抽出データメモリ２８に格納されたデータに所定の統計演算処理を施す。この統計演算結果は演算データメモリ３１に格納される。表示部３２は、演算データメモリ３１および抽出データメモリ２８に格納されたデータを見易い形式に変換した表示データを作成する。この表示データは図示しないＣＲＴあるいは液晶ディスプレイに表示される。
【００４５】
次に、図２フローチャートに基づいてこの実施例の動作を説明する。図２において、工程（２−１）でＡＤ変換部２１は再生信号をデジタル値に変換して、適応等化部２２に出力する。次に、工程（２−２）で適応等化部２２は入力されたデジタル値に適応等化処理を施して適応等化データを出力する。すなわち、光ピックアップの光学的な伝達応答特性に近似させるように、ＬＭＳ(Least Mean Square)アルゴリズムなどを用いて等化処理を行う。
【００４６】
一般的に光ディスクの特性はＰＲ（１２１）、ＰＲ（１２２１）とよばれる応答特性に近いが、本実施例においてはＰＲ（１２２１）の応答特性を有しているとする。適応等化部２２は、出力波形をＰＲ（１２２１）における７値の理想等化データに近づけるように適応的に動作し、適応等化データを出力する。このとき、理想等化データと適応等化データの誤差（“理想等化データ”−“適応等化データ”）である等化誤差を算出し、この等化誤差を等化誤差メモリ２４に格納する。
【００４７】
次に、工程（２−３）でビタビ復号処理を行う。ビタビ復号部２３は、適応等化データからビタビアルゴリズムを用いて２値化復号を行い、復号過程で算出される差メトリックデータを差メトリックメモリ２５に、復号データを復号データメモリ２６に格納する。
【００４８】
次に、工程（２−４）でデータ抽出処理を行う。まず抽出条件設定部１３で抽出条件を設定して抽出条件メモリ１４に格納する。データ抽出部２７は抽出条件メモリ１４に格納された抽出条件に合致するデータを復号データメモリ２６から検索し、等化誤差メモリ２４、差メトリックメモリ２５から該当するデータを抽出する。
【００４９】
次に、工程（２−５）で統計演算処理を行う。統計演算部２９は、抽出データメモリ２８に格納されているデータを読み出し、平均値、標準偏差を演算して、図５（Ａ）のような形式で演算データメモリ３１に格納する。次に、工程（２−６）で演算データメモリ３１等に格納されたデータを表示する。そして、工程（２−７）で解析を続行するかどうかを判断し、続行する場合は工程（２−４）に戻って新たな抽出条件を設定し、続行しない場合は終了する。
【００５０】
図３は適応等化した出力波形、復号データ、理想等化データ、適応等化データ、等化誤差、差メトリックを１クロックごとに示した図である。（Ａ）は復号データメモリ２６に格納されている復号データ、（Ｂ）は理想等化データ、（Ｃ）は適応等化部２２が算出した適応等化データ、（Ｄ）は理想等化データと適応等化データの差である等化誤差、（Ｅ）はビタビ復号部２３が算出した差メトリックである。
【００５１】
上段は理想等化データと適応等化データをグラフ化したものであり、白丸（○）は理想等化データを、黒丸（●）は適応等化データを表している。適応等価部２２は、適応等化データ（●）を理想等化データ（○）に近づけるように、適応的に動作する。なお、レベルＬ０〜Ｌ６は、それぞれ７値の理想等化データ０〜６に対応している。また、（Ｅ）の差メトリックの欄の∞は、次世代光ディスクで採用されている１−７変調符号規則からくるもので、ビタビ復号時のパスメトリックが片側しか存在しない点を意味している。
【００５２】
抽出条件を“４Ｔマークの全等化誤差”と設定すると、データ抽出部２７は復号データから４Ｔ（“１１１１”）を検索し、この４Ｔ全ての等化誤差を抽出データメモリ２８に格納する。図３では４１の部分（データ：0.28, 0.26, 0.11, 0.20）が抽出される。データ抽出部２７は復号データメモリ２６に格納された全データを検索して、４Ｔ部分の等化誤差を全て抽出して、抽出データメモリ２８に格納する。抽出結果の一例を図４（Ａ）に示す。
【００５３】
抽出条件を“４Ｔマークの等化誤差平均”と設定すると、データ抽出部２７は復号データから４Ｔ（“１１１１”）を検索し、検索した全ての等化誤差の平均値を抽出データメモリ２８に格納する。図３では、４１部分のデータ（0.28, 0.26, 0.11, 0.20）の平均値０．２１を抽出データメモリ２８に格納する。データ抽出部２７は復号データメモリ２６に格納された全データを検索して、４Ｔ部分の等化誤差の平均値を抽出データメモリ２８に格納する。図４（Ｂ）に抽出結果の一例を示す。
【００５４】
抽出条件を“４Ｔマーク直後の等化誤差”と設定すると、データ抽出部２７は復号データから４Ｔマーク（“１１１１”）を検索し、その直後のデータ０．０８（図３の４２）を抽出して抽出データメモリ２８に格納する。抽出結果の一例を図４（Ｃ）に示す。なお、直後だけでなく、隣接する位置であってもよい。
【００５５】
抽出条件を“４Ｔマークの後に連続する３Ｔスペースのレベル別の等化誤差”と設定すると、データ抽出部２７は復号データメモリ２６から“１１１１０００”を検索し、その等化誤差（図３の４３）をレベル別に分類して抽出データメモリ２８に格納する。抽出結果の一例を図４（Ｄ）に示す。
【００５６】
抽出条件を“２Ｔスペース後の２Ｔマークの立ち上がりの差メトリック”と設定すると、データ抽出部２７は復号データメモリ２６から“００１１”を検索し、その立ち上がり（最初の“１”）の差メトリック（図３の４４、データ：11.04, 9.79）を抽出して、抽出データメモリ２８に格納する。抽出結果の一例を図４（Ｅ）に示す。なお、立ち上がりだけでなく、検索条件に合致したデータの任意の位置を指定するようにしてもよい。なお、検索条件、詳細条件は、上記で説明した以外にも、種々設定することができる。
【００５７】
次に、統計演算部２９および表示部３２の動作を説明する。統計演算部２９は、抽出データメモリ２８に格納されたデータの平均値および標準偏差を演算し、演算データメモリ３１に格納する。図５に統計処理の一例を示す。図５（Ａ）は、詳細条件が“全等化誤差”の統計処理の一例である。平均値ａｖｅと標準偏差σが計算される。同図（Ｂ）は詳細条件が“レベル別等化誤差”の統計処理の一例である。レベル別に平均値ａｖｅと標準偏差σが計算される。表示部３２はこれらの値をテキスト形式で表示する。
【００５８】
図６（Ａ）は詳細条件を“２Ｔ〜９Ｔの全等化誤差”としたときの、演算データメモリ３１に格納される値および表示部３２が表示する表示の一例である。下段は符号長（Ｔ）毎の平均値ａｖｅと標準偏差σの値、上段は符号長毎のヒストグラムである。ヒストグラムの点線は誤差ゼロの点を示している。
【００５９】
データ抽出部２７は符号長毎に抽出条件に合致するデータを検索して、抽出データメモリ２８に格納する。統計演算部２９は抽出データメモリ２８を読み出し、図６（Ａ）の下段のように、符号長毎に平均値と標準偏差を算出する。表示部３２はこれら平均値と標準偏差を表示すると共に、抽出データメモリ２８を参照して、符号長毎にヒストグラムを作成して表示する。このヒストグラムの形状、理想値からのシフト量、分散量などから、符号長に応じた最適なライトストラテジを検討することができる。
【００６０】
図６（Ｂ）は、抽出条件として“４Ｔマーク３Ｔスペースのレベル別等化誤差”を設定したときの結果であり、レベル別に平均値、標準偏差およびヒストグラムが計算され、表示される。右側が平均値ａｖｅと標準偏差σの計算値、左側がヒストグラムである。黒く塗りつぶした５１は４Ｔマーク３Ｔスペースの条件で抽出したヒストグラム、実線５２は全データのヒストグラムであり、点線は誤差ゼロ点を表す。
【００６１】
図６（Ｃ）は、抽出条件として“２Ｔスペース２Ｔマークの立ち上がりの差メトリック”とした場合の結果であり、横軸は差メトリック（ＳＡＭ）である。黒く塗りつぶした部分５３は“２Ｔスペース２Ｔマーク”の条件で抽出したデータのヒストグラム、実線５４は差メトリックの理想値が１０となる全データのヒストグラムである。抽出データのヒストグラム５３は、全体のヒストグラム５４よりゼロ側にシフトしているので、差メトリックを理想１０に近づけるようにライトストラテジの最適化を行えばよい。ａｖｅは差メトリックの平均値、σは標準偏差である。
【００６２】
なお、図６（Ｃ）では平均値、標準偏差およびヒストグラムを１つとしたが、抽出したデータを符号長で分類し、符号長毎に平均値、標準偏差、ヒストグラムを求めるようにしてもよい。
【００６３】
また、図１実施例では等化誤差メモリ２４、差メトリックスメモリ２５の両方を具備し、等化誤差、差メトリックスの両方を用いるようにしたが、図６の（Ｂ）、（Ｃ）からわかるように、等化誤差、差メトリックスのどちらを用いてもライトストラテジを行うことができる。従って、等化誤差メモリ２４、差メトリックスメモリ２５のどちらか一方を具備するようにしてもよい。
【００６４】
図７に本発明の他の実施例を示す。なお、図１と同じ要素には同一符号を付し、説明を省略する。図７において、６０はディスク信号解析装置であり、抽出条件設定部１３、抽出条件メモリ１４、ＡＤ変換部２１、適応等化部２２、ビタビ復号部２３、復号データメモリ２６、誤り訂正部６１、オリジナルデータメモリ６２、外部データ取り込み部６３、エラー率算出部６４、エラー率メモリ６５および表示部３２で構成される。
【００６５】
誤り訂正部６１にはビタビ復号部２３の出力が入力される。誤り訂正部６１は、入力されたデータからリードソロモン積符号のアルゴリズム等を用いて誤り訂正を行い、復号データと比較するためのリファレンスとなるオリジナルデータを生成する。このオリジナルデータはオリジナルデータメモリ６２に格納される。
【００６６】
外部データ取り込み部６３は、ファイルあるいはイーサネット（登録商標）等の通信手段を用いて、復号データと比較するためのリファレンスとなるオリジナルデータを取り込み、オリジナルデータメモリ６２に格納する。ファイルは外部接続のハードディスクや光ディスク、あるいはＵＳＢメモリに格納する。
【００６７】
エラー率算出部６４には抽出条件メモリ１４に格納された抽出条件が入力される。エラー率算出部６４は、復号データメモリ２６とオリジナルデータメモリ６２に格納されたデータのうち、抽出条件に合致したデータを比較して、一致しない割合であるエラー率を計算する。このエラー率はエラー率メモリ６５に格納される。表示部３２はエラー率メモリ６５の内容を表示する。
【００６８】
図８フローチャートを用いて、この実施例の動作を説明する。図８において、工程（８−１）で再生信号をデジタル値に変換し、工程（８−２）で適応等化部２２を用いて適応等化処理を行う。そして、工程（８−３）でビタビ復号部２３を用いて復号処理を行い、復号データを復号データメモリ２６に格納すると共に、誤り訂正部６１に出力する。ここまでの工程は、図２とほぼ同じである。
【００６９】
次に、工程（８−４）で誤り訂正処理を行う。誤り訂正部６１はビタビ復号部２３から入力されたデータから、リードソロモン積符号のアルゴリズム等を用いて誤り訂正を行ってオリジナルデータを生成し、オリジナルデータメモリ６２に格納する。
【００７０】
次に、工程（８−５）でエラー率を算出する。エラー率算出の前に、抽出条件設定部１３によって抽出条件を設定して、抽出条件メモリ１４に格納する。エラー率算出部６４は、抽出条件メモリ１４に格納された抽出条件に合致するデータを復号データメモリ２６から検索し、このデータとオリジナルデータメモリ６２に格納されたデータを比較してエラー率を算出し、エラー率メモリ６５に格納する。図１０（Ａ）にエラー率の格納例を示す。
【００７１】
次に、工程（８−６）でエラー率を表示する。表示部３２は、例えば図１０（Ｂ）のような形式でエラー率を表示する。最後に、工程（８−７）で解析を続行するかどうかを判定し、続行するときは工程（８−５）に戻り、続行しないときは終了する。
【００７２】
図９は、この実施例の復号データとオリジナルデータを１クロック毎に示したものである。図９において、（Ａ）はビタビ復号部２３が出力する復号データ、（Ｂ）はオリジナルデータであり、黒丸（●）は適応等化部２２が出力する適応等化データを、白丸（○）は理想等化データを表す。
【００７３】
抽出条件を“２Ｔマークに連続する４Ｔスペースのエラー率”と設定されているとすると、７１が抽出範囲になる。この範囲のデータ数は６個、誤りデータは１個なので、エラー率は１７％になる。図９はデータの一部であり、実際には“２Ｔマークに連続する４Ｔスペース”を満たす領域は他にもあるので、エラー率は異なった値になる。
【００７４】
なお、図７では誤り訂正部６１でオリジナルデータを再構成する構成と、外部データ取り込み部６３からオリジナルデータを取り込む構成の両方を具備するものとしたが、実際にはどちらか一方があればよい。
【００７５】
これらの実施例では、下記の４つの手法でライトストラテジを行うための情報を提供する。
（１）等化誤差の統計値／ヒストグラムを用いる。
（２）差メトリックの統計値／ヒストグラムを用いる。
（３）オリジナルデータと復号データを比較したエラー率を用い、復号データから誤り訂正でオリジナルデータを作成する。
（４）オリジナルデータと復号データを比較したエラー率を用い、外部からオリジナルデータを入力する。
これらの手法は単独で用いてもよく、複数個組み合わせて使用してもよい。
【図面の簡単な説明】
【００７６】
【図１】本発明の一実施例を示す構成図である。
【図２】本発明の一実施例の動作を示すフローチャートである。
【図３】データの一例を示す特性図である。
【図４】各メモリの格納される値の例を示した図である。
【図５】各メモリの格納される値の例を示した図である。
【図６】統計値、ヒストグラムの表示を例示した図である。
【図７】本発明の他の実施例を示す構成図である。
【図８】本発明の他の実施例の動作を示すフローチャートである。
【図９】データの一例を示す特性図である。
【図１０】エラー率の格納例、表示例を示した図である。
【図１１】従来のディスク信号解析装置の構成図である。
【図１２】従来のディスク信号解析装置の動作を示すフローチャートである。
【図１３】光ディスクのトラックと再生信号の関係を示した波形図である。
【図１４】各メモリの格納例を示した図である。
【図１５】符号間干渉によるエッジシフトが発生することを説明する図である。
【図１６】光ディスクの再生信号のアイパターンである。
【図１７】ジッタが増大することを説明する図である。
【符号の説明】
【００７７】
１３  抽出条件設定部
１４  抽出条件メモリ
２０、６０  ディスク信号解析装置
２１  ＡＤ変換部
２２  適応等化部
２３  ビタビ復号部
２４  等化誤差メモリ
２５  差メトリックメモリ
２６  復号データメモリ
２７  データ抽出部
２８  抽出データメモリ
２９  統計演算部
３１  演算データメモリ
３２  表示部
４１〜４４  抽出したデータ
５１〜５４  ヒストグラム
６１  誤り訂正部
６２  オリジナルデータメモリ
６３  外部データ取り込み部
６４  エラー率算出部
【図１】
2007149237.tif 000003
【図２】
2007149237.tif 000004
【図３】
2007149237.tif 000005
【図４】
2007149237.tif 000006
【図５】
2007149237.tif 000007
【図６】
2007149237.tif 000008
【図７】
2007149237.tif 000009
【図８】
2007149237.tif 000010
【図９】
2007149237.tif 000011
【図１０】
2007149237.tif 000012
【図１１】
2007149237.tif 000013
【図１２】
2007149237.tif 000014
【図１３】
2007149237.tif 000015
【図１４】
2007149237.tif 000016
【図１５】
2007149237.tif 000017
【図１６】
2007149237.tif 000018
【図１７】
2007149237.tif 000019